(57)【要約】【課題】  軽量化され、かつ、振動耐性に優れた信頼性の高い新たな移動体搭載装置を提供する。【解決手段】  樹脂製の筐体を使用した光ディスク再生装置１００の光ディスクドライブを金属製のブラケット１２０でネジ止め固定する。さらに、ブラケット１２０と金属製の車両ブラケットの構成要素である装置固定部材６０１，６０６とをネジ止め固定する。この結果、光ディスク再生装置１００内の光ディスクドライブが、金属製のブラケット１２０を介して、車両ブラケットに固定される。【選択図】  図７
2008195365.tif 000002
【特許請求の範囲】
【請求項１】
記録媒体を回転駆動する回転駆動機構を含む記憶媒体ドライブ手段と；
前記記憶媒体ドライブ手段に接続されるとともに、移動体に用意された固定用部材に接続される金属製のブラケット部材と；
前記記憶媒体ドライブ手段を収納する樹脂製の筐体部材と；
を備えることを特徴とする移動体搭載装置。
【請求項２】
前記筐体部材は、前記ブラケット部材に固定される、ことを特徴とする請求項１に記載の移動体搭載装置。
【請求項３】
前記ブラケット部材は、前記筐体部材を介して、前記固定用部材に接続される、ことを特徴とする請求項１又は２に記載の移動体搭載装置。
【請求項４】
前記ブラケット部材は、前記記憶媒体ドライブ手段に一体形成されている、ことを特徴とする請求項１〜３のいずれか一項に記載の移動体搭載装置。
【請求項５】
前記ブラケット部材は鋼板性である、ことを特徴とする請求項１〜４のいずれか一項に記載の移動体搭載装置。
【発明の詳細な説明】
【技術分野】
【０００１】
本発明は、移動体搭載装置に関する。
【背景技術】
【０００２】
従来から、車両等の移動体には、ナビゲーション装置、ＤＶＤ（Digital Versatile Disk）プレーヤ等の様々な電装品が搭載されている。こうした電装品のうち、ハードディスク装置、ＤＶＤドライブ装置等の記憶媒体を回転駆動する機構を含まないものついては、一般の装置と同様に、軽量化のための筐体部材の樹脂化が進んでいる。
【０００３】
しかしながら、記憶媒体を回転駆動する機構を含む電装品の場合には、筐体部材の樹脂化は採用されておらず、鋼板等の金属製の筐体部材が採用されている（特許文献１等参照）。
【０００４】
かかる記憶媒体を回転駆動する機構を有し、金属筐体を使用する場合には、以下のような構成（以下、「従来例」という）が一般的に採用されている。すなわち、図１及び図２により総合的に示される電装品９００のように、光ディスクドライブ等の記憶媒体を回転駆動する機構を有するデバイス９１０が、金属製のブラケット部材９２０を介して、金属製の筐体９４０に固定される。そして、この筐体９４０が金属製の車両ブラケット（６０１，６０６）に固定される。
【特許文献１】実開平５−５６６５１号公報
【発明の開示】
【発明が解決しようとする課題】
【０００５】
上述した従来例のような固定構造を有する場合には、車両走行時に発生する振動が、車両ブラケットから筐体を介して、記憶媒体を回転駆動する機構を有するデバイスに伝わる。ここで、従来例では、筐体として金属筐体を採用することにより、筐体の強度を確保することができるので、車両走行時に発生する振動に由来する当該デバイスにおける共振の発生を抑制することができる。
【０００６】
しかしながら、軽量化のために従来例において筐体９４０の素材を樹脂製とすると、樹脂は金属よりも強度面で劣るので、車両走行時に発生する振動に由来するデバイス９１０における共振が発生しやすくなる。このため、単に、従来例における筐体９４０の素材を機械的強度が弱い樹脂にするのでは、記録媒体に記録されたデータの読み取りに際して、データを連続的に読み取れない事態の発生の頻発が懸念される。かかる事態の発生は、音声／映像の再生時における、音飛びや映像飛びの発生につながるものである。
【０００７】
そこで、記憶媒体を回転駆動する機構を含む移動体搭載装置においても、上記の弊害を取り除いたうえで、装置全体を軽量化する技術が待望されている。こうした要請を満たすことが、本発明が解決すべき課題の一つとして挙げられる。
【０００８】
本発明は、上記の事情を鑑みてなされたものであり、車両走行時の振動耐性を備えつつ、軽量化可能な移動体搭載装置を提供することを目的とする。
【課題を解決するための手段】
【０００９】
請求項１に記載の発明は、記録媒体を回転駆動する回転駆動機構を含む記憶媒体ドライブ手段と；前記記憶媒体ドライブ手段に接続されるとともに、移動体に用意された固定用部材に接続される金属製のブラケット部材と；前記記憶媒体ドライブ手段を収納する樹脂製の筐体部材と；を備えることを特徴とする移動体搭載装置である。
【発明を実施するための最良の形態】
【００１０】
以下、本発明の一実施形態を、図３〜図１０を参照しつつ説明する。なお、以下の説明においては、同一の又は同等の要素には同一の符号を付し、重複する説明を省略する。
【００１１】
［構成］
本実施形態に係る移動体搭載装置である光ディスク再生装置１００の外観図が、図３に示されている。この光ディスク再生装置１００は、図４及び図５の分解斜視図により総合的に示されるように、光ディスクドライブ１１０と、ブラケット１２０と、プリント回路アッセンブリ（ＰＣＡ）１３０と、筐体１４０と、化粧パネル１５０とが、組み合わされて構成されている。なお、図３〜図５（後述する図６〜図１１についても同様）におけるＸＹＺ座標系は、図示の通りに定義されている。
【００１２】
＜光ディスクドライブ１１０の構成＞
光ディスクドライブ１１０には、不図示の光ピックアップ、メインシャフト、サブシャフト、スピンドルモータ、レール等の光ディスクＯＰＤの再生に必要な部品が内蔵されている。そして、図４に示されるように、光ディスクドライブ１１０の＋Ｘ方向側の前面１１１に、ＣＤやＤＶＤ等の光ディスクＯＰＤを挿入する挿入スロット１１４が形成されている。光ディスクドライブ１１０は、挿入スロット１１４から挿入した光ディスクに記録されたデータを、レーザー光を利用して読み出す。
【００１３】
また、光ディスクドライブ１１０の−Ｙ方向の側面１１２と＋Ｙ方向の側面１１３には、それぞれ２つのネジ挿入孔が設けられている。側面１１２には、ネジ挿入孔１１２ａ，１１２ｂが設けられており（いずれも不図示）、側面１１２の中央より−Ｘ方向側に設けられたネジ挿入孔が１１２ａ、側面１１２の中央より＋Ｘ方向側に設けられたネジ孔挿入孔が１１２ｂとなっている。側面１１３には、ネジ挿入孔１１３ａ，１１３ｂが設けられており、側面１１３の中央より−Ｘ方向側に設けられたネジ挿入孔が１１３ａ、側面１１３の中央より＋Ｘ方向側に設けられたネジ孔挿入孔が１１３ｂとなっている。
【００１４】
上記のネジ挿入孔１１２ａ，１１２ｂは、光ディスクドライブ１１０の側面１１２と、後述するブラケット１２０を構成する固定部材１２１（より詳しくは、側壁１２２）とを、ネジ止め固定するためのものである。また、ネジ挿入孔１１３ａ，１１３ｂは、光ディスクドライブ１１０の側面１１３と、後述するブラケット１２０を構成する固定部材１２６（より詳しくは、側壁１２７）とを、ネジ止め固定するためのものである。
【００１５】
＜ブラケット１２０の構成＞
ブラケット１２０の素材には、鋼板が用いられている。ブラケット１２０は、図４及び図５に示されるように、２つの固定部材１２１，１２６からなり、各固定部材１２１，１２６は、ＸＹ平面視でコの字形状を変形させた形状をしている。
【００１６】
固定部材１２１は、光ディスクドライブ１１０の側面１１２とネジ止めで固定するため、光ディスクドライブ１１０に対して−Ｙ方向側に配置される。そして、固定部材１２１は、ＸＺ平面に展開させた長方形状の側壁１２２、側壁１２３と、ＸＹ平面に展開させた長方形状の底板１２４とを有しており、一体となって形成されている。
【００１７】
側壁１２２は、底板１２４を介して、さらに、２つの長方形状の部分に分かれている。そして、−Ｘ方向側の側壁１２２のほぼ中央には、ネジ挿入孔１２２ａが設けられ、＋Ｘ方向側の側壁１２２のほぼ中央にはネジ挿入孔１２２ｂが設けられている。これらのネジ挿入孔１２２ａ，１２２ｂは、それぞれ、前述した光ディスクドライブ１１０の側面１１２に設けられたネジ挿入孔１１２ａ，１１２ｂと個別的に対応し、光ディスクドライブ１１０と固定部材１２１がネジ止めで固定される。
【００１８】
側壁１２３には、２つのネジ挿入孔１２３ａ，１２３ｂが設けられている。そして、ネジ挿入孔１２３ａは側壁１２３の中央より−Ｘ方向側に設けられ、ネジ挿入孔１２３ｂは側壁１２３の中央より＋Ｘ方向側に設けられている。これらのネジ挿入孔１２３ａ，１２３ｂは、光ディスク再生装置１００が組み立てられた後に、光ディスク再生装置１００が後述する車両ブラケット（６０１，６０６）にネジ止め固定されるときに使われる（図７及び図８参照）。
【００１９】
底板１２４には、２つのネジ挿入孔１２４ａ，１２４ｂが設けられている（いずれも不図示）。そして、ネジ挿入孔１２４ａは底板１２４の−Ｘ方向側の端部に設けられ、ネジ挿入孔１２４ｂは底板１２４の＋Ｘ方向側の端部に設けられている。これらのネジ挿入孔１２４ａ，１２４ｂは、光ディスクドライブ１１０とブラケット１２０（固定部材１２１，１２６の両方）とをネジ止め固定した後に、筐体１４０の後述する底板１４２とを固定すべくネジ止めするためのものである（図５参照）。
【００２０】
固定部材１２６は、上記の固定部材１２１と同様に構成されている。すなわち、固定部材１２６は、光ディスクドライブ１１０の側面１１３とネジ止めで固定するため、光ディスクドライブ１１０に対して＋Ｙ方向側に配置される。そして、固定部材１２６は、ＸＺ平面に展開させた長方形状の側壁１２７、側壁１２８と、ＸＹ平面に展開させた長方形状の底板１２９とを有しており、一体となって形成されている。
【００２１】
側壁１２７は、底板１２９を介して、さらに、２つの長方形状の部分に分かれている。そして、−Ｘ方向側の側壁１２７のほぼ中央には、ネジ挿入孔１２７ａが設けられ、＋Ｘ方向側の側壁１２７のほぼ中央にはネジ挿入孔１２７ｂが設けられている。これらのネジ挿入孔１２７ａ，１２７ｂは、それぞれ、前述した光ディスクドライブ１１０の側面１１３に設けられたネジ挿入孔１１３ａ，１１３ｂと個別的に対応し、光ディスクドライブ１１０と固定部材１２６がネジ止めで固定される。
【００２２】
側壁１２８には、２つのネジ挿入孔１２８ａ，１２８ｂが設けられている（図７参照）。そして、ネジ挿入孔１２８ａは側壁１２８の中央より−Ｘ方向側に設けられ、ネジ挿入孔１２８ｂは側壁１２８の中央より＋Ｘ方向側に設けられている。これらのネジ挿入孔１２８ａ，１２８ｂは、光ディスク再生装置１００が組み立てられた後に、光ディスク再生装置１００が車両ブラケット（６０１，６０６）にネジ止め固定されることになる（図７及び図８参照）。
【００２３】
底板１２９には、２つのネジ挿入孔１２９ａ，１２９ｂが設けられている（図４参照）。そして、ネジ挿入孔１２９ａは底板１２９の−Ｘ方向側の端部に設けられ、ネジ挿入孔１２９ｂは底板１２９の＋Ｘ方向側の端部に設けられている。これらのネジ挿入孔１２９ａ，１２９ｂは、光ディスクドライブ１１０とブラケット１２０とをネジ止め固定した後に、筐体１４０の後述する底板１４２とを固定すべくネジ止めするためのものである（図５参照）。
【００２４】
以上のように、ブラケット１２０は、光ディスクドライブ１１０をネジ止め固定するとともに、筐体１４０とネジ止め固定し、さらには、車両を構成する車両ブラケット（６０１，６０６）ともネジ止め固定する。これにより、ブラケット１２０は、光ディスクドライブ１１０を車両に対して固定するという役割を担っている。
【００２５】
＜ＰＣＡ１３０の構成＞
ＰＣＡ１３０は、所定の導体パターンが形成されたプリント配線板状に各種部品が搭載されたものである。このＰＣＡ１３０は、図４及び図５に示されるように、筐体１４０内に収納され、光ディスクドライブ１１０の−Ｚ方向側に配置される。ＰＣＡ１３０には、４つのネジ挿入孔１３１ａ〜１３１ｄが設けられている。
【００２６】
上記４つのネジ挿入孔１３１ａ〜１３１ｄは、ＰＣＡ１３０を筐体１４０の後述する底板１４２に固定するために使われる。
【００２７】
＜筐体１４０の構造＞
次に、筐体１４０の構造について説明する。筐体１４０の素材には、光ディスク再生装置１００を軽量化するため、カーボン等の導電性物質を含有する導電性樹脂が用いられている。筐体１４０は、図４及び図５に示されるように、中空の長方立方体形状をしており、上述した光ディスクドライブ１１０、ブラケット１２０、ＰＣＡ１３０を収納する。
【００２８】
組み立て前の筐体１４０は、２つの部分からなる。１つは、前板１４１と底板１４２と側壁１４５，１４６と後板１４８とが一体成形で形成された部材１４９であり、もう１つは、天板１４７である。
【００２９】
前面１４１には、光ディスクを光ディスクドライブ１１０に挿入するための開口１４１ａを有している。
【００３０】
底板１４２は、ＸＹ平面視で長方形状をしている。そして、底板１４２には、図６に示されるように、１４３ａ〜１４３ｄと１４４ａ〜１４４ｄの合計８つの取付ボスが一体成形で形成されている。取付ボス１４３ａ〜１４３ｄは、固定部材１２１，１２６に設けられたネジ挿入孔１２４ａ，１２４ｂ，１２９ａ，１２９ｂと個別的に対応し、ブラケット１２０を筐体１４０の底板１４２にネジ止め固定するためのものである。なお、ブラケット１２０を筐体１４０にネジ止め固定する前に、ブラケット１２０を光ディスクドライブ１１０にネジ止め固定する方がよい。
【００３１】
取付ボス１４４ａ〜１４４ｄは、ＰＣＡ１３０に設けられたネジ挿入孔１３１ａ〜１３１ｄと個別的に対応し、ＰＣＡ１３０を筐体１４０にネジ止め固定するためのものである。
【００３２】
側壁１４５は、底板１４２に対して−Ｙ方向側に配置される。そして、側壁１４５は、長方形状の切欠き１４５ａを有している。この切欠き１４５ａは、固定部材１２１と車両ブラケット（６０１，６０６）とを、直接、ネジ止め固定するために設けられたものである。
【００３３】
一方、側壁１４６は、底板１４２に対して＋Ｙ方向側に配置される。そして、側壁１４６は、側壁１４５と同様に、長方形状の切欠き１４６ａを有している。この切欠き１４６ａは、固定部材１２６と車両ブラケット（６０１，６０６）とを、直接、ネジ止め固定するために設けられたものである。
【００３４】
天板１４７は、ＸＹ平面視で長方形状をしている。そして、天板１４７の−Ｙ方向側端部から−Ｚ方向に沿って延びる壁１４７ａと、天板１４７の＋Ｙ方向側端部から−Ｚ方向に沿って延びる壁１４７ｂとを有している。
【００３５】
壁１４７ａのＸ方向の長さは、切欠き１４５ａのＸ方向の長さと同じである。そして、壁１４７ａを切欠き１４５ａに嵌め込むことによって形成される開口は、固定部材１２１の側壁１２３とほぼ同じ形状になる。同様に、壁１４７ｂのＸ方向の長さは、切欠き１４６ａのＸ方向の長さと同じである。そして、壁１４７ｂを切欠き１４６ａに嵌め込むことによって形成される開口は、固定部材１２６の側壁１２８とほぼ同じ形状になる。
【００３６】
筐体１４０を構成する上記２つの部品には、不図示の嵌入孔と係止突起が設けられており、嵌め込み式で組み立てられるようになっている。
【００３７】
＜化粧パネル１５０の構造＞
続いて、化粧パネル１５０の構造について説明する。化粧パネル１５０は、図３及び図４に示されるように、長方立方体形状をしている。化粧パネル１５０には、不図示の光ディスク再生操作に必要な部品が設けられ、また、筐体１４０の前面１４１と同様に、光ディスクを光ディスクドライブ１１０に挿入するための開口１５１を有している。
【００３８】
また、化粧パネル１５０には、不図示のネジ挿入孔が備えられており、筐体１４０に他対してネジ止め固定される。
【００３９】
次に、上記のように構成された光ディスク再生装置１００の車両への取り付けについて、説明する。
【００４０】
光ディスク再生装置１００の車両への取り付けは、図７に示されるように、光ディスク再生装置１００と車両ブラケット（６０１，６０６）とを、ネジ止め固定することにより行われる。
【００４１】
車両ブラケット（６０１，６０６）は、車両の一部を構成するものであり、素材には鋼板が用いられている。車両ブラケット（６０１，６０６）は、図７及び図８に示されるように、２つの装置固定部材６０１，６０６からなる。これら装置固定部材６０１，６０６はＸＹ平面視で、Ｌ字形状をしている。
【００４２】
装置固定部材６０１は、光ディスク再生装置１００とネジ止めで固定するため、光ディスク再生装置１００に対して−Ｙ方向側に配置される。そして、装置固定部材６０１は、ＸＺ平面に展開された長方形状の側壁６０２と、ＹＺ平面に展開させた取付片を有している。
【００４３】
側壁６０２には、２つのネジ挿入孔６０２ａ，６０２ｂが設けられている。そして、ネジ挿入孔６０２ａは側壁６０２の中央より−Ｘ方向側に設けられ、ネジ挿入孔６０２ｂは側壁６０２の中央より＋Ｘ方向側に設けられている。これらのネジ挿入孔６０２ａ，６０２ｂは、それぞれ、前述した固定部材１２１の側壁１２３に設けられたネジ挿入孔１２３ａ，１２３ｂと個別的に対応し、光ディスク再生装置１００と装置固定部材６０１がネジ止めで固定される。
【００４４】
また、装置固定部材６０６は、光ディスク再生装置１００とネジ止めで固定するため、光ディスク再生装置１００に対して＋Ｙ方向側に配置される。そして、装置固定部材６０６は、ＸＺ平面に展開された長方形状の側壁６０７と、ＹＺ平面に展開させた取付片を有している。
【００４５】
側壁６０７には、２つのネジ挿入孔６０７ａ，６０７ｂが設けられている。そして、ネジ挿入孔６０７ａは側壁６０７の中央より−Ｘ方向側に設けられ、ネジ挿入孔６０７ｂは側壁６０７の中央より＋Ｘ方向側に設けられている。これらのネジ挿入孔６０７ａ，６０７ｂは、それぞれ、前述した固定部材１２６の側壁１２３に設けられたネジ挿入孔１２８ａ，１２８ｂと個別的に対応し、光ディスク再生装置１００と装置固定部材６０６がネジ止めで固定される。
【００４６】
以上のようにして、光ディスク再生装置１００が車両ブラケット（６０１，６０６）に取り付けられた構造が、図８に示されている。図８に示す光ディスク再生装置１００のＸＹ断面図が図９に示されている。また、図８に示す光ディスク再生装置１００のＹＺ断面図が図１０に示されている。
【００４７】
このように、図７〜図１０により総合的に示されるように、光ディスク再生装置１００の車両への取り付けは、光ディスク再生装置１００を構成する鋼板製のブラケット１２０と、車両を構成する鋼板製の車両ブラケット（６０１，６０６）とをネジ止めで固定することで行われる。
【００４８】
以上説明したように、本実施形態では、車載用の光ディスク再生装置１００の筐体１４０（天板１４７及び部材１４９）を樹脂製としている。このため、車載用の光ディスク再生装置１００全体の軽量化を図ることができる。
【００４９】
また、本実施形態では、光ディスクドライブ１１０を鋼板製のブラケット１２０にネジ止め固定し、さらに、当該ブラケット１２０を、車両において用意されている鋼板製の車両ブラケット（６０１，６０６）に、直接ネジ止め固定している。筐体１４０が樹脂でありながら光ディスクドライブ１１０が筐体１４０に保持される構造ではないため、筐体１４０の機械的強度の強さに影響されることはない。このため、光ディスクドライブ１１０に共振が発生することを抑制することができる。したがって、光ディスク再生装置１００全体の軽量化を図りつつ、車両走行中の光ディスク再生時に、音飛びや映像飛びの発生を有効に防止することができる。
【００５０】
［実施形態の変形］
本発明は、上記の実施形態に限定されるものではなく、様々な変形が可能である。
【００５１】
例えば、上記の実施形態では、移動体搭載装置として光ディスク再生装置としたが、ハードディスクを備えたディスク回転駆動機構を有する移動体搭載装置であってもよい。また、カセットテープやビデオテープを回転駆動する機構を有する移動体搭載装置であってもよい。
【００５２】
また、上記の実施形態では、筐体１４０の側壁１４５，１４６のそれぞれに開口１４５ａ，１４６ａを設けることで、ブラケット１２０と車両ブラケット（６０１，６０６）を直接、ネジ止め固定した。これに対し、図１１に示されるように、筐体１４０の側壁１４５，１４６のそれぞれに大きな開口を設けず、筐体を挟み込む形でブラケット１２０と車両ブラケット（６０１，６０６）をネジ止め固定してもよい。このように、ブラケット１２０と車両ブラケット（６０１，６０６）で筐体１４０を挟み込む形であれば、ブラケット１２０が車両ブラケット（６０１，６０６）に直接ネジ止め固定される場合とほぼ同等の強度が確保できる。したがって、本変形例においても、光ディスク再生装置１００全体の軽量化を図りつつ、車両走行中の光ディスク再生時に、音飛びや映像飛びの発生を有効に防止することができる。
【００５３】
また、上記の実施形態では、ブラケット１２０の素材は鋼板製としたが、ジュラルミン等、その他の機械的強度の良好な金属によるダイキャスト等であってもよい。
【００５４】
また、上記の実施形態では、ブラケット１２０を構成する部材を個別の固定部材１２１，１２６としたが、固定部材１２１，１２６が一体となったブラケットであってもよい。
【００５５】
また、上記の実施形態では、光ディスクドライブ１１０とブラケット１２０を異なる構成要素としたが、光ディスクドライブ１１０自体にブラケットの形状が一体的に形成されていてもよい。
【００５６】
また、上記の本実施形態では、筐体１４０の組み立て方法は、嵌め込み式としたが、筐体１４０にネジ挿入孔を設けて、ネジ止め固定してもよい。
【図面の簡単な説明】
【００５７】
【図１】従来の光ディスク再生装置のＸＹ断面図である。
【図２】従来の光ディスク再生装置のＹＺ断面図である。
【図３】本発明の一実施形態である光ディスク再生装置の外観図である。
【図４】図３の装置の構成を説明するための分解斜視図（その１）である。
【図５】図３の装置の構成を説明するための分解斜視図（その２）である。
【図６】図４及び図５の筐体の底板に設けられたネジ挿入孔の配置を説明するための図である。
【図７】図３の装置の車両ブラケットへの取り付けを説明するための斜視図である。
【図８】図３の装置が車両ブラケットに取り付けられた後の斜視図である。
【図９】図８の装置のＸＹ断面図である。
【図１０】図８の装置のＹＺ断面図である。
【図１１】変形例を説明するための図である。
【符号の説明】
【００５８】
１００    …  光ディスク再生装置（移動体搭載装置）
１１０    …  光ディスクドライブ（記憶媒体ドライブ手段）
１２０    …  ブラケット（ブラケット部材）
１４０    …  筐体（筐体部材）
【図１】
2008195365.tif 000003
【図２】
2008195365.tif 000004
【図３】
2008195365.tif 000005
【図４】
2008195365.tif 000006
【図５】
2008195365.tif 000007
【図６】
2008195365.tif 000008
【図７】
2008195365.tif 000009
【図８】
2008195365.tif 000010
【図９】
2008195365.tif 000011
【図１０】
2008195365.tif 000012
【図１１】
2008195365.tif 000013